(57)【特許請求の範囲】
【請求項１】
第一の接続部分（１０）と、第二の接続部分（２０）と、前記第一の接続部分（１０）と前記第二の接続部分（２０）との間の機能ゾーン（２）とを有する、特に機械工学および工業的使用のための電気連続端子であって、
前記第一の接続部分（１０）は付属の電流バー（１１）を介して第一の機能接触子（１２）と接続されており、かつ、
前記第二の接続部分（２０）は付属の電流バー（２１）を介して第二の機能接触子（２２）と接続されている、電気連続端子において、
前記機能ゾーン（２）は、選択式および交代式に様々な機能要素（３−６）を受容しかつ当該機能要素に接触するのに適するよう構成されており、機能要素（３）が前記機能ゾーン（２）に導入される際に前記機能要素が前記第一の機能接触子および前記第二の機能接触子（１２，２２）と結合可能であるように形成されており、前記機能ゾーン（２）の両側において、前記第一の接続部分および前記第二の接続部分（１０，２０）のそれぞれに、二つの接続導入口（１３，１４；２３，２４）が設けられており、かつ前記機能ゾーン（２）と前記第一の接続部分（１０）の二つの接続導入口（１３，１４）との間には表示ラベル（３０）が載置される表示ラベル受容部が設けられており、
前記第一の機能接触子（１２）および前記第二の機能接触子（２２）の長手方向における前記機能要素（３−６）の寸法は、前記長手方向における前記電気連続端子（１）の寸法の半分未満であることを特徴とする電気連続端子（１）。
【請求項２】
前記機能要素（３−６）は、第一の機能接触子（１２）および第二の機能接触子（２２）の長手方向に沿う移動によって、前記機能ゾーン（２）に受容可能である請求項１に記載の電気連続端子（１）。
【請求項３】
前記第一の接続部分（１０）は、少なくとも一つの導体接続部（１５）を有している請求項１または２に記載の電気連続端子（１）。
【請求項４】
前記第二の接続部分（２０）は、少なくとも一つの導体接続部（２５）を有している請求項１から３のいずれか一項に記載の電気連続端子（１）。
【請求項５】
前記第一の接続部分（１０）または前記第二の接続部分（２０）の前記少なくとも一つの導体接続部（１５，２５）が、スプリング式端子（１７）、スプリングケージ式端子、およびネジ込み端子を含む導体接続部のグループから採用されている請求項１から４のいずれか一項に記載の電気連続端子（１）。
【請求項６】
前記機能ゾーン（２）は機能要素（３−６）を受容するのに適するよう形成されており、前記機能要素は、接触ブレード（３）、ヒューズ要素（４）、遮断要素（５）、および検査要素（６）を含む機能要素のグループから採用されている請求項１から５のいずれか一項に記載の電気連続端子（１）。
【請求項７】
少なくとも一つの横方向ブリッジ（２７）および／または試験用プラグ（２８）および／またはピックオフ端子（２９）を受容するための少なくとも一つの接続導入口（１３，１４；２３，２４）が形成されている請求項１から６のいずれか一項に記載の電気連続端子（１）。
【請求項８】
少なくとも部分的に絶縁性のハウジングが設けられている請求項１から７のいずれか一項に記載の電気連続端子（１）。
【請求項９】
取り付けレール受容部（９）が設けられている請求項１から８のいずれか一項に記載の電気連続端子（１）。
【請求項１０】
機械工学および工業的使用のための連続端子ブロック（１００）であって、前記連続端子ブロック（１００）が、少なくとも二つの請求項１から９のいずれか一項に記載の電気連続端子（１）を備えており、前記電気連続端子（１）が、互いに隣接していると共に取り付けレール（８）に受容可能とされる、前記連続端子ブロック（１００）であって、
前記電気連続端子（１）は第一の接続部分（１０）と、第二の接続部分（２０）と、前記第一の接続部分（１０）と前記第二の接続部分（２０）との間の機能ゾーン（２）とを有しており、
前記第一の接続部分（１０）は付属の電流バー（１１）を介して第一の機能接触子（１２）と接続されており、
前記第二の接続部分（２０）は付属の電流バー（２１）を介して第二の機能接触子（２２）と接続されている、連続端子ブロック（１００）において、
前記機能ゾーン（２）は、選択式および交代式に様々な機能要素（３−６）を受容しかつ当該機能要素に接触するのに適するよう構成されており、機能要素（３）が前記機能ゾーン（２）に導入される際に前記機能要素が前記第一の機能接触子および前記第二の機能接触子（１２，２２）と結合可能であるように形成されており、前記機能ゾーン（２）の両側において、前記第一の接続部分および前記第二の接続部分（１０，２０）のそれぞれに二つの接続導入口（１３，１４；２３，２４）が設けられていることを特徴とする連続端子ブロック（１００）。
【請求項１１】
隣接する前記電気連続端子（１）の前記接続導入口（１３）を電気的に結合するための少なくとも一つの横方向ブリッジ（２７）が設けられており、および／または少なくとも一つの試験用プラグ（２８）が同一の前記接続部分（１０，２０）の他の接続導入口（１４）に設けられている請求項１０に記載の連続端子ブロック（１００）。
【発明の詳細な説明】
【技術分野】
【０００１】
本発明は特に機械工学および工業的使用のための電気連続端子に関するものであり、当該電気連続端子は広範な応用事例において用いることができる。
【背景技術】
【０００２】
従来技術において極めて多様な連続端子もしくは連続可能な接続端子が知られている。例えば配電会社（ＥＶＵ）の分野では、連続可能な試験用端子および断路端子であって、当該端子において電流回路の完全かつ安全な遮断が保証され得るものが知られている。通常、回路を遮断するためには、遮断された電流回路が自動的に再接続されることを抑制する、ロッカースイッチまたはロック可能なスライドスイッチが用いられる。このような試験用端子および断路端子は、試験または保守整備の際、試験技術者にとって身体および生命の危険が生じないように、電流回路を確実に遮断しなければならない。それゆえ、配電分野において用いられるこのような試験用端子および断路端子に対しては、特殊な規定が該当する。
【０００３】
従来技術において知られている試験用断路端子は通常、長手方向断路器を有しており、当該断路器は回動可能に、かつ、二つの最終位置において自動ロック式に受容されている。このような長手方向断路器により、長手方向断路のみならず、配電分野における応用に対して必要である横方向断路も保証される。既知の試験用断路端子は機能性を高めるために、長手方向断路器のそれぞれの側にさらに３個の接続導入口を有しており、当該接続導入口内に横方向ブリッジなどが挿入可能であり、それにより隣接する接続導入口を短絡するか、もしくは等しい電位にする。
【０００４】
従来技術においてこのような試験用断路端子は有効であったものの、当該試験用断路端子は比較的高いコストを生じさせるとともに、特に、機械工学および工業的使用において常に利用できるとは限らない、大きな構成空間を必要とする。
【発明の概要】
【発明が解決しようとする課題】
【０００５】
従って本発明は、電気連続端子と、対応する連続端子ブロックを提供し、それにより比較的小さいコストおよび比較的小さな構成空間で、大きな機能多様性が可能にされることを課題とする。
【課題を解決するための手段】
【０００６】
上記の課題は、請求項１の特徴を有する電気連続端子と、請求項１１の特徴を有する連続端子ブロックとによって解決される。本発明の好適なさらなる構成は、従属請求項の対象である。本発明のさらなる有利点および特徴は、一般的な説明と、実施の形態の説明に記載されている。
【０００７】
本発明に係る電気連続端子は特に、機械工学および工業における使用に適するとともに、機械工学および工業における使用のために設けられており、第一の接続部分と、第二の接続部分と、当該第一の接続部分と第二の接続部分との間の機能ゾーンとを含んでいる。第一の接続部分は付属の電流バーを介して第一の機能接触子と接続されている。第二の接続部分は付属の電流バーを介して第二の機能接触子と接続されている。このとき機能ゾーンは、様々な機能要素を選択式に、特に交代式に受容し、かつ当該機能要素に接触するのに適しており、機能要素が、機能ゾーンに導入される際に、第一および／または第二の機能接触子と結合可能であるように形成されている。さらに機能ゾーンの側方において、第一の接続部分および第二の接続部分に、それぞれ二つの接続導入口が設けられている。
【０００８】
本発明に係る連続端子は多くの有利な点を有している。本発明に係る電気連続端子もしくは連続可能な電気接続端子は、小さな構成で実現され得、それにより機械工学および工業において多様に用いられるのに適している。第一の接続部分と第二の接続部分にそれぞれ二つの接続導入口が設けられていることにより、異なる操作が同時に実施され得る。結合要素と試験用プラグは同時に導入され得る。特に、機能ゾーンのそれぞれの側において、接続部分内にそれぞれ横方向ブリッジを挿入すると同時に、さらに例えば試験用プラグが導入されることが可能である。
【０００９】
機能ゾーンが、様々な機能要素を選択式かつ交代式に受容するとともに当該機能要素に接触するのに適しており、かつ、そのために形成されていることにより、本発明に係る連続端子をさらに多様に用いることが可能となる。同時に機能ゾーンは構成上、極めて小さく形成され得、それにより本発明に係る電気連続端子全体の大きさはさらに小型化される。
【００１０】
電気連続端子は特に完全に独自のハウジングを有し得る。電気連続端子が部分ハウジングのみを有していることも可能であり、当該部分ハウジングは、多くの連続端子において通常行われているように、隣接する連続端子によって閉鎖される。複数の電気連続端子から成るこのような連続端子ブロックは、その後、適当なカバーによって全体的にシールされる。
【００１１】
機能要素は好ましくは、少なくとも一つの長手方向移動を介して、機能ゾーンに受容可能である。特に機能要素は、第一の接続部分と第二の接続部分の結合軸線に対して横方向に、例えば垂直に向けられている長手方向移動を介して、機能ゾーンに導入可能であり、それによって当該機能要素は第一の機能接触子および／または第二の機能接触子に接触する。
【００１２】
例えば機能要素の長手方向移動を介して、第一の機能接触子と第二の機能接触子との導電的な接触は選択的に切断されるか、または再び作り出され得る。
【００１３】
機械工学および工業における多くの使用目的においては、再接触が確実に防止されることがなくても、第一の機能接触子を第二の機能接触子から遮断することで事足りる。このような使用目的の場合、断路要素として形成される機能要素は小型な構成で廉価に製造され得、簡単に機能ゾーンに受容され得る。
【００１４】
好ましくは第一の接続部分および／または第二の接続部分はそれぞれ、少なくとも一つの導体接続部を有している。特に好ましくは、第一の接続部分および／または第二の接続部分がそれぞれ、少なくとも一つの第二の導体接続部を有していることが可能である。それにより一方の側または二つの側でそれぞれ、一つの導体または複数の導体が連続端子に接続され得る。
【００１５】
全ての構成において、少なくとも一つの導体接続部が、スプリング式端子および特にレッグスプリング式端子、スプリングケージ式端子、およびネジ込み端子などを含む導体接続部のグループから採用されているのが好ましい。スプリング式端子が好ましいのは、当該スプリング式端子が通常は簡単な取り付けを可能にするからである。
【００１６】
機能ゾーンは好ましくは機能要素を受容するのに適し、かつそのために形成されている。このとき機能要素は、接触ブレード、断路ブレード、ヒューズ要素、例えば遮断ダイオードなどの遮断要素、および検査要素などを含む機能要素のグループから採用されていてよい。
【００１７】
接触ブレードまたは断路ブレードが実装されている機能要素、あるいは接触ブレードまたは断路ブレードとして形成されている機能要素は、簡単なやり方で、例えばスライド移動または長手方向移動により、接触を生じさせることと、接触を解除することとを可能にする。
【００１８】
場合により機能要素は、付加的にさらなるヒューズ機能、遮断機能、または検査機能を有しているか、提供している他の機能要素に代替され得る。このような機能要素により、本発明に係る連続端子を特に柔軟に用いることが可能になる。
【００１９】
好適なさらなる構成において、機能要素は少なくとも一つの発光要素または少なくとも一つのヒューズおよび／または少なくとも一つのその他の電子工学的部材または電気的部材を有している。例えば、許容される作動条件または所定の作動条件が達成されるか、超過されるとき、機能要素が聴覚的警戒信号または視覚的警戒信号を発信することも可能である。
【００２０】
全ての実施の形態において、少なくとも一つの横方向ブリッジおよび／または試験用プラグおよび／または分岐用端子を受容するための少なくとも一つの接続導入口が形成されている。このように形成された接続導入口は多くの有利点を有している。当該接続導入口が極めて多様な要素を差し込むことを許容するためである。
【００２１】
個々の接続部分にそれぞれ二つの接続導入口が設けられているので、二つの同一の、または異なる接続要素が差し込まれ得る。例えば一の接続導入口において横方向ブリッジが差し込まれ得る一方、隣接する接続導入口内に試験用プラグまたは分岐用端子が導入される。
【００２２】
横方向ブリッジは必ずしも連続端子を、直接的に隣接する連続端子に結合しなくてもよく、連続端子ブロック内部で、複数の連続端子にわたって延在し得、互いに遠く離れた連続端子の接続導入口を互いに結合してもよい。個々の接続導入口は特に付属の電流バーに導電的に接続されていてよい。
【００２３】
有利な構成において連続端子は少なくとも部分的に絶縁性のハウジングを有している。これにより取り付けられた状態において、連続端子に危険なく接触することが可能となる。
【００２４】
好適な固定を行うために、連続端子には好ましくは少なくとも一つの取り付けレール受容部が設けられており、それによって連続端子を例えばトップハットレールのような取り付けレールに係合させる。
【００２５】
本発明はまた、連続端子ブロックを対象としており、当該連続端子ブロックも、機械工学または工業における使用に適するとともに、機械工学および工業における使用のために設けられている。連続端子ブロックは、互いに隣接しているとともに、特に取り付けレールに受容可能な少なくとも二つの連続端子を含んでいる。特に少なくとも一つの連続端子は、すでに説明されたように形成されている。
【００２６】
連続端子ブロックの少なくとも一つの連続端子は第一の接続部分と、第二の接続部分と、前記第一の接続部分と前記第二の接続部分との間の機能ゾーンとを含んでいる。第一の接続部分は付属の電流バーを介して第一の機能接触子と接続されている。第二の接続部分は付属の電流バーを介して第二の機能接触子と接続されている。このとき機能ゾーンは、様々な機能要素を選択式に、および場合により交代式に受容し、かつ当該機能要素に接触するのに適しており、機能要素が、機能ゾーンに導入される際、前記第一の機能接触子および／または前記第二の機能接触子と結合可能であるように形成されている。機能ゾーンの側方において、前記第一の接続部分および第二の機能部分に、それぞれ二つの接続導入口が設けられている。
【００２７】
本発明に係る連続端子ブロックも多くの有利点を有している。当該連続端子ブロックは小さな構成容積かつわずかなコストで多くの機能を可能にするからである。
【００２８】
連続端子ブロックが、直接的または間接的に隣接する二つの連続端子の接続導入口を電気的に結合するための少なくとも一つの横方向ブリッジを有していることが可能である。さらに、同時に試験用プラグが同一の接続部分の他の接続導入口に設けられていることも可能である。
【００２９】
本発明に係る連続可能な端子により、小型の端子が提供され得るが、当該小型の端子は多様な機能可能性を提供する。中央の機能ゾーンに異なる機能要素が差し込まれ得、当該機能要素は応用事例に合わせて調整されている。同時に、機能ゾーンの両側の接続導入口に、それぞれ二つの接続要素が接続され得、当該接続要素により、操作可能性を拡大することと、機能をさらに管理することとが可能となる。
【００３０】
本発明に係る連続端子はこのとき、多くの応用において必要であるコンパクトな構成の大きさを、機械工学において十分な安全性の要件を保持しながら可能にする。
【００３１】
本発明のさらなる有利点と応用可能性および特性は、添付された図面を参照しながら以下において説明される実施の形態の詳細な説明に記載されている。
【００３２】
図に示されるのは以下の通りである。
【図面の簡単な説明】
【００３３】
【図１】本発明に係る二つの連続端子を斜視的に示す図である。
【図２】図１に示す連続端子においてそれぞれ二つの横方向ブリッジが挿入されているものを示す図である。
【図３】図２に示す一の連続端子においてそれぞれ二つの横方向ブリッジが挿入されている断面を示す図である。
【図４】図３の細部Ａを拡大して示す図である。
【図５】接触ブレードを介して結合されている図３に示す連続端子の電流バーを示す図である。
【図６】単独端子として実施されている本発明に係る連続端子を示す図である。
【発明を実施するための形態】
【００３４】
図１は、本発明に係る二つの連続端子１から成る連続端子ブロック１００の斜視図である。二つの連続端子１はそれぞれ、取り付けレール受容部９を有しており、当該取り付けレール受容部によって、二つの連続端子は取り付けレール８にクリップ留めされている。
【００３５】
連続端子１のそれぞれは、第一の接続部分１０と第二の接続部分２０との間に設けられている機能ゾーン２を有している。第一の接続部分１０において連続端子のそれぞれは導体接続部１５を有しており、第二の接続部分２０は導体接続部２５を有している。
【００３６】
個々の接続部分１０，２０にはさらにそれぞれ二つの接続導入口１３，１４もしくは２３，２４が設けられており、当該接続導入口は例えば横方向ブリッジ２７を受容するのに役立つ。付加的に表示ラベル３０のための受容部が設けられていてよい。
【００３７】
個々の接続部分１０，２０は、それぞれに割り当てられる電流バー１１，２１を有しており、当該電流バーは、機能ゾーン２にて隣接する接続接触子１２，２２において終結している。また、二つの機能接触子１２および２２を導電的に互いに結合している機能要素３を介して、導体接続部１５および２５同士の間に導電的な結合が作り出される。
【００３８】
本図では個々の導体接続部１５，２５にスプリング式端子１７，２７が設けられており、それにより導入された導体を導電的に締め付ける。導入された導体を再び取り外すことができるようにするために、本図ではトリガーの形態の開放装置１９が設けられており、当該開放装置はレッグスプリング１８の脚部（図４参照）に押し付けられ、それによって導入された導体の締め付けを解除する。
【００３９】
図２は、図１に示す連続端子ブロック１００の斜視図であり、接続導入口１３と接続導入口２４とに横方向ブリッジ２７が押し込まれている。
【００４０】
連続端子の上方には二つのさらなる横方向ブリッジ２７が、当該横方向ブリッジの接触ピン３６が見えるように描き込まれており、当該接触ピンは取り付けられた状態で、対応する電流バー１１もしくは２１の接触穴３５（図５参照）に接触しながら係合する。
【００４１】
横方向ブリッジ２７を導入することに替えて、概略的に表示されている試験用プラグ２８またはピックオフ端子２９であって、相応のケーブル分岐部を有しているものを挿入することも可能である。試験用プラグ２８には概略的に表示装置３７が表されており、当該表示装置は例えば、運転状態に関する視覚的な指示および情報を表示することに役立ち得る。
【００４２】
図３は連続端子１００の断面を示しており、当該連続端子ではそれぞれ、全ての接続導入口１３，１４，２３，２４にそれぞれ、横方向ブリッジ２７が導入されている。横方向ブリッジ２７の接触ピン３６が電流バー１１，２１の接触穴３５に導電的に接触していることが明らかに認められる。
【００４３】
機能ゾーン２には断路ブレード３ａを有する機能要素３が導入されている。断路ブレード３ａは機能接触子１２および２２のフォーク状に形成されている端部の間に入れられており、機能接触子１２および２２を互いに導電的に結合している。
【００４４】
図４は図３の細部「Ａ」を拡大された縮尺で示している。導体接続部１５に、接触すべき導体が挿入され得、当該導体は締結ゾーンにおいて本図ではレッグスプリング１８として形成されている締付けバネによって、締め付けられながら保持されている。トリガー１９を作動させることにより、締付けバネ１８の締め付け作用が解除され、挿入された導体は再び導体接続部１５から取り出され得る。
【００４５】
本図において接続導入口１３に横方向ブリッジ２７が押し込まれている一方で、接続導入口１４は試験用プラグまたは試験用ソケット２８を含んでおり、当該試験用プラグまたは試験用ソケットに、本図では例えば発光ダイオードとしての表示装置３７が設けられており、それによって例えば運転状態が表示されるか、あるいは運転障害が示唆される。
【００４６】
図５は第一の接続部分１０の電流バー１１と第二の接続部分２０の電流バー２１と、当該接続部分同士の間に設けられている機能ゾーン２とを示している。接触ブレード３ａは、フォーク状に形成されている機能接触子１２および２２を互いに導電的に結合している。
【００４７】
さらに３個の機能要素４，５および６が描き込まれており、当該機能要素は接触ブレード３ａを有する機能要素３と交換され得る。機能要素４は本図においてヒューズ要素として形成されているとともに、例えば、許容される基本条件を外れたり、超過した場合、機能接触子１２および２２の電気的結合を解除するヒューズを有している。
【００４８】
機能要素５は遮断要素として用いられるとともに、例えば一方向のみに電流を伝える。
【００４９】
機能要素６も例えばヒューズを含み得、および／または付加的に、またはヒューズの代わりに試験要素として用いられ得、相応のケーブルが実装され得る。
【００５０】
図５において接続導入口１３，１４および２３，２４の下方に設けられている接触穴３５が認められる。例えば横方向ブリッジ２７を挿入する際、当該接触穴３５に接触ピン３６が弾性的に係合し、それにより電流バー１１または２１の電気的接触が確保される。
【００５１】
図６は連続端子１であって、表示ラベル受容部に表示ラベル３０が設けられているものを示している。当該連続端子も導体接続部１５および２５を有している。中央の機能ゾーン２にそれぞれ機能要素３が受容されており、当該機能要素は選択的に機能接触子１１および１２を互いに結合し、あるいは互いに結合解除する。
【００５２】
図６に示す連続端子１は完全に独自のハウジング７を有し得、あるいは連続端子１のハウジング７は付加的なカバーによって閉鎖される。
【００５３】
本発明は全体として工業的応用と、機械工学における使用のための有利な電気連続端子を提供し、当該連続端子は、例えば機能ゾーン２が交換可能な機能要素によって小型に実施されているために、廉価であるとともに小型に形成されている。
【００５４】
機能ゾーンの個々の側に接続導入口が二つだけ設けられていることにより、構成空間が節約され得、さらにわずかなコストで高い機能性が可能となり得る。
【符号の説明】
【００５５】
１  電気連続端子
２  機能ゾーン
３−６  機能要素
３ａ  断路ブレード
７  ハウジング
８  取り付けレール
９  取り付けレール受容部
１０  接続部分
１１  電流バー
１２  機能接触子
１３，１４  接続導入口
１５  導体接続部
１７  スプリング式端子
１８  レッグスプリング
１９  開放装置，トリガー
２０  接続部分
２１  電流バー
２２  機能接触子
２３，２４  接続導入口
２５  導体接続部
２７  横方向ブリッジ
２８  試験用ソケット
２９  分岐用端子
３０  表示ラベル
３２  発光要素
３３  ヒューズ
３４  部材
３５  接触穴
３６  接触ピン
３７  表示装置
１００  連続端子ブロック
【図１】
0006408460.tif 000002
【図２】
0006408460.tif 000003
【図３】
0006408460.tif 000004
【図４】
0006408460.tif 000005
【図５】
0006408460.tif 000006
【図６】
0006408460.tif 000007